(57)【特許請求の範囲】
【請求項１】
漏水発生時、漏水発生コマンドを送信するモード１と、漏水発生時に漏水発生コマンドを送信しないモード２との動作モードをそれぞれ有する複数の漏水検出端末と、
前記漏水検出端末のうち一の漏水検出端末からの漏水発生コマンドを受信した場合、この一の漏水検出端末に前記モード２で動作するよう指令すると共に共用部伝送路に漏水発生コマンドを送信し、一定時間経過後前記一の漏水検出端末に前記モード１で動作するよう指令する中央制御装置と、
から構成したことを特徴とする漏水検出装置。
【請求項２】
漏水発生時に漏水警報音を鳴動すると共に漏水発生コマンドを送信するモード５と、漏水発生時に漏水警報音の鳴動及び漏水発生コマンドの送信を行わないモード６とをそれぞれ有した複数の漏水検出端末と、
この漏水検出端末のうち一の漏水検出端末から漏水発生コマンドを受信した場合、前記一の漏水検出端末に前記モード６で動作するように指令すると共に共用部伝送路に漏水発生コマンドを送信し、一定時間経過後には前記一の漏水検出端末に前記モード５で動作するように指令する中央制御装置とから構成したことを特徴とする漏水検出装置。
【請求項３】
漏水発生時に、漏水発生コマンドを送信するモード１と、漏水発生時に漏水発生コマンドを送信しないモード２との動作モードをそれぞれ有する複数の漏水検出端末と、
前記漏水検出端末のうち一の漏水検出端末からの漏水発生コマンドを受信した場合、この一の漏水検出端末に前記モード２で動作するよう指令すると共に共用部伝送路に漏水発生コマンドを送信し、ある時刻になった場合前記一の漏水検出端末に前記モード１で動作するよう指令する中央制御装置と、
から構成したことを特徴とする漏水検出装置。
【請求項４】
漏水発生時に漏水警報音を鳴動すると共に漏水発生コマンドを送信するモード５と、漏水発生時に漏水警報音の鳴動及び漏水発生コマンドの送信を行わないモード６とをそれぞれ有した複数の漏水検出端末と、
この漏水検出端末のうち一の漏水検出端末から漏水発生コマンドを受信した場合、前記一の漏水検出端末に前記モード６で動作するように指令すると共に共用部伝送路に漏水発生コマンドを送信し、ある時刻に前記一の漏水検出端末に前記モード５で動作するように指令する中央制御装置と、
から構成したことを特徴とする漏水検出装置。
【請求項５】
複数の漏水検出端末は、それぞれ、
漏水を検出する漏水検出手段と、漏水発生コマンドを端末伝送路に送信すると共にこの端末伝送路からのコマンドを受信する送受信手段と、漏水発生時に漏水発生コマンドを前記端末伝送路に送信する場合をモード１とし、反対に送信しない場合はモード２と記憶する記憶手段と、前記漏水検出手段の出力を入力し、漏水発生時に前記記憶手段にモード１と記憶されている場合のみ端末伝送路に漏水発生コマンドを送信するよう前記送受信手段を制御する制御手段とを有して構成し、
中央制御装置は、
前記端末伝送路より漏水発生コマンドを受信すると共に前記端末伝送路を介して前記送受信手段に前記コマンドを送信する端末部送受信手段と、この端末部送受信手段により漏水発生コマンドを受信したと判断した時にタイマカウントを開始すると共に一定時間経過時に経過した旨の情報を出力する計時手段と、共用部伝送路に前記漏水発生コマンドを送信する共用部送信手段と、前記漏水検出端末のうち一の漏水検出端末の端末部受信手段により前記端末伝送路を経由して受信した漏水発生コマンドを解読し、漏水発生コマンドを受信した旨を前記共用部伝送路に送信するよう前記共用部送信手段を制御すると共に、前記端末部送受信手段により前記一の漏水検出端末へモード２で動作するようモード変更指令コマンドを送信し、且つ前記計時手段により一定時間計時後に前記端末部送受信手段により前記一の漏水検出端末にモード１で動作するようにモード変更指令コマンドを送信するよう制御する演算制御手段とを有して構成し、
前記漏水検出端末の制御手段が、前記演算制御手段より前記端末伝送路を経由してモード変更指令コマンドを受信した場合前記記憶手段の記憶変更を行うようにしたことを特徴とする請求項１記載の漏水検出装置。
【請求項６】
複数の漏水検出端末は、それぞれ、
漏水を検出する漏水検出手段と、漏水発生コマンドを端末伝送路に送信すると共にこの端末伝送路からのコマンドを受信する送受信手段と、漏水検出時に警報音を鳴動する警報音鳴動手段と、漏水発生時に警報音を鳴動すると共に漏水発生コマンドを送信する場合はモード５とし、反対に警報音鳴動及び漏水発生コマンドの送信を行わない場合はモード６と記憶する記憶手段と、前記漏水検出手段の出力を入力し、漏水発生時に前記記憶手段にモード５と記憶されている場合のみ前記警報音鳴動手段により警報音を鳴動させ、前記端末伝送路に漏水発生コマンドを送信するよう前記送受信手段を制御する制御手段とを有して構成し、
中央制御装置は、
前記端末伝送路より漏水発生コマンドを受信すると共に前記端末伝送路を介して前記送受信手段に前記コマンドを送信する端末部送受信手段と、この端末部送受信手段により漏水発生コマンドを受信したと判断した時にタイマカウントを開始すると共に一定時間経過時に経過した旨の情報を出力する計時手段と、共用部伝送路に前記漏水発生コマンドを送信する共用部送信手段と、前記漏水検出端末のうち一の漏水検出端末の端末部受信手段により前記端末伝送路を経由して受信した漏水発生コマンドを解読し、漏水発生コマンドを受信した旨を前記共用部伝送路に送信するよう前記共用部送信手段を制御すると共に、前記端末部送受信手段により前記一の漏水検出端末へモード６で動作するようモード変更指令コマンドを送信すると共に、前記計時手段により一定時間計時後に前記端末部送受信手段により前記一の漏水検出端末にモード５で動作するようにモード変更指令コマンドを送信するよう制御する演算制御手段とを有して構成して、
前記漏水検出端末の制御手段が、前記端末伝送路からモード変更指令コマンドを受信した場合、前記記憶手段の記憶変更を行うようにしたことを特徴とする請求項２記載の漏水検出装置。
【請求項７】
複数の漏水検出端末は、それぞれ、
漏水を検出する漏水検出手段と、漏水発生コマンドを端末伝送路に送信すると共にこの端末伝送路からのコマンドを受信する送受信手段と、漏水発生時に漏水発生コマンドを前記端末伝送路に送信する場合をモード１とし、反対に送信しない場合はモード２と記憶する記憶手段と、前記漏水検出手段の出力を入力し、漏水発生時に前記記憶手段にモード１と記憶されている場合のみ端末伝送路に漏水発生コマンドを送信するよう前記送受信手段を制御する制御手段とを有して構成し、
中央制御装置は、
前記端末伝送路より漏水発生コマンドを受信すると共に前記端末伝送路を介して前記送受信手段に前記コマンドを送信する端末部送受信手段と、現在時刻をカウントする時計手段と、共用部伝送路に前記漏水発生コマンドを送信する共用部送信手段と、前記漏水検出端末のうち一の漏水検出端末の送受信手段により前記端末伝送路を経由して受信した漏水発生コマンドを解読し、漏水発生コマンドを受信した旨を前記共用部伝送路に送信するよう前記共用部送信手段を制御すると共に、前記端末部送受信手段により前記一の漏水検出端末から再度漏水発生コマンドを受信した際は、前記一の漏水検出端末にモード２で動作するようモード変更指令コマンドを送信すると共に、前記時計手段によりある時刻に前記一の漏水検出端末の端末部送受信手段によりその一の漏水検出端末にモード１で動作するようモード変更指令コマンドを前記端末伝送路を経由して送信するよう制御する演算制御手段とを有して構成して、
前記制御手段が前記演算制御手段から前記端末伝送路を経由してモード変更指令コマンドを受信した場合は前記記憶手段の記憶変更を行うようにしたことを特徴とする請求項３記載の漏水検出装置。
【請求項８】
複数の漏水検出端末は、それぞれ、
漏水を検出する漏水検出手段と、漏水発生コマンドを端末伝送路に送信すると共にこの端末伝送路からのコマンドを受信する送受信手段と、漏水検出時に警報音を鳴動する警報音鳴動手段と、漏水発生時に警報音を鳴動すると共に漏水発生コマンドを送信する場合はモード５とし、反対に鳴動音の鳴動及び漏水発生コマンドの送信を行わない場合はモード６と記憶する記憶手段と、前記漏水検出手段の出力を入力し、漏水発生時に前記記憶手段にモード５と記憶されている場合のみ前記警報音鳴動手段により警報音を鳴動させる制御手段とを有して構成し、
中央制御装置は、
前記端末伝送路より漏水発生コマンドを受信すると共に前記端末伝送路を介して前記送受信手段に前記コマンドを送信する端末部送受信手段と、現在時刻をカウントする時計手段と、共用部伝送路に漏水発生コマンドを送信する共用部送信手段と、前記端末部送受信手段により前記端末伝送路を経由して受信した前記漏水検出端末のうち一の漏水検出端末の漏水発生コマンドを解読し、この漏水発生コマンドを受信した旨を前記共用部伝送路に送信するよう前記共用部送信手段を制御し、且つ前記端末部送受信手段により前記一の漏水検出端末にモード６で動作するようモード変更指令コマンドを送信すると共に、前記時計手段によりある時刻になれば前記一の漏水検出端末にモード５で動作するようモード変更指令コマンドを前記端末伝送路を経由して送信するよう制御する演算制御手段とを有して構成して、
前記制御手段が前記演算制御手段から前記端末伝送路を経由してモード変更指令コマンドを受信した場合は前記記憶手段の記憶変更を行うようにしたことを特徴とする請求項４記載の漏水検出装置。
【発明の詳細な説明】
【０００１】
【産業上の利用分野】
本発明は、例えば集合住宅等に使用し、これら集合住宅等内で漏水が発生した場合に、警報音を報知すると共に、前記集合住宅の管理事務室等に漏水警報を通報するための漏水検出装置に関する。
【０００２】
【従来の技術】
近年、集合住宅は、これを構成する各住戸に漏水検出端末を設置して、漏水の有無を検出するようになっており、もし前記検出端末が漏水の発生を検出した場合、集合住宅の住民に警報音を報知して知らせると共に、各漏水端末からの情報を一元管理する中央制御装置を介して管理事務室の警報を発生する中央制御装置に漏水情報を伝達して、適切且つ素早い対応が図られる漏水時警告発生システムが普及してきている。そして、前記漏水検出端末の漏水センサは、トイレ、風呂場或いは床下のコンクリートに設置するのが一般的である。このような漏水時警告発生システムに比較的近い装置として、特開平６−２６６９８５号公報に記載されている。
【０００３】
【発明が解決しようとする課題】
上記のような従来の漏水時警告発生システムは、集合住宅が竣工直後で、コンクリート等が完全に乾いていないような場合、漏水センサが一度漏水を検知した後、この漏水を復旧したにも拘らず、繰り返し漏水を検知して、漏水検出端末が漏水コマンドを中央制御装置に送信して、これを中央制御装置が受信して、住民に警報音を報知したり、管理事務室に警報を発したりする場合が起こっていた。
【０００４】
このような場合、住民や管理事務室は、警報の作動の度に警報音を停止する等の対応を行わなければならず、住民に安眠を妨害する等の事態にもなり兼ねなかった。
【０００５】
本発明は、上記従来の課題を解決するもので、一度漏水を検出し警報音を鳴動した後では、一定時間経過後或いは時刻以降に再度漏水が発生したときのみ該当住戸および管理事務室の警報を発生するようにして、短時間で何度も警報音が鳴動する等を防止すべくなした漏水検出装置を提供することを目的とする。
【０００６】
【課題を解決するための手段】
上記目的に鑑み、本発明は、漏水発生時、漏水発生コマンドを送信するモード１と、漏水発生時に漏水発生コマンドを送信しないモード２との動作モードをそれぞれ有する複数の漏水検出端末と、前記漏水検出端末のうち一の漏水検出端末からの漏水発生コマンドを受信した場合、この一の漏水検出端末に前記モード２で動作するよう指令すると共に共用部伝送路に漏水発生コマンドを送信し、一定時間経過後前記一の漏水検出端末に前記モード１で動作するよう指令する中央制御装置とから構成したことを特徴とする。
【０００７】
この結果、一度水漏れを検出した漏水検出端末は、モード２で一定時間動作し、その間は漏水発生コマンドを送信しないため、中央制御装置は、共用部伝送路を経由して漏水発生コマンドを、管理事務室等に設置した漏水発生警告手段に送信されないこととなり、この結果、一度漏水発生コマンドを受信して警報音を鳴動した後は、一定時間以上経過しなければ、再度漏水が発生しても、漏水発生警告手段は警報を発しないこととなる。
【００１０】
【発明の実施の形態】
請求項１記載の発明は、漏水発生時、漏水発生コマンドを送信するモード１と、漏水発生時に漏水発生コマンドを送信しないモード２との動作モードをそれぞれ有する複数の漏水検出端末と、前記漏水検出端末のうち一の漏水検出端末からの漏水発生コマンドを受信した場合、この一の漏水検出端末に前記モード２で動作するよう指令すると共に共用部伝送路に漏水発生コマンドを送信し、一定時間経過後前記一の漏水検出端末に前記モード１で動作するよう指令する中央制御装置とから構成している。
【００１１】
この結果、一度水漏れを検出した漏水検出端末は、モード２で一定時間動作し、その間は漏水発生コマンドを送信しないため、中央制御装置は、共用部伝送路を経由して漏水発生コマンドを、管理事務室等に設置した漏水発生警告手段に送信されないこととなり、この結果、一度漏水発生コマンドを受信して警報音を鳴動した後は、一定時間以上経過しなければ、再度漏水が発生しても、漏水発生警告手段は警報を発しないこととなる。
【００１５】
請求項２記載の発明は、漏水発生時に漏水警報音を鳴動すると共に漏水発生コマンドを送信するモード５と、漏水発生時に漏水警報音の鳴動及び漏水発生コマンドの送信を行わないモード６とをそれぞれ有した複数の漏水検出端末と、この漏水検出端末のうち一の漏水検出端末から漏水発生コマンドを受信した場合、前記一の漏水検出端末に前記モード６で動作するように指令すると共に共用部伝送路に漏水発生コマンドを送信し、一定時間経過後には前記一の漏水検出端末に前記モード５で動作するように指令する中央制御装置とから構成している。
【００１６】
この結果、一度水漏れを検出した漏水検出端末は、モード６で一定時間動作するため、一度警報音を鳴動した後は、一定時間以上経過しなければ、再度漏水が発生しても、警報音が鳴動しないこととなる。
【００１７】
また、中央制御装置を経由して共用部伝送路から漏水発生コマンドを受信し管理事務室等で警報を発生する共用部側の装置でも、一度漏水発生コマンドを受信し、警報音を鳴動した後は、一定時間以上経過しなければ、再度漏水が発生しても、警報音が鳴動しないこととなる。
【００２０】
請求項３記載の発明は、漏水発生時に、漏水発生コマンドを送信するモード１と、漏水発生時に漏水発生コマンドを送信しないモード２との動作モードをそれぞれ有する複数の漏水検出端末と、前記漏水検出端末のうち一の漏水検出端末からの漏水発生コマンドを受信した場合、この一の漏水検出端末に前記モード２で動作するよう指令すると共に共用部伝送路に漏水発生コマンドを送信し、ある時刻になった場合前記一の漏水検出端末に前記モード１で動作するよう指令する中央制御装置とから構成している。
【００２１】
この結果、一度水漏れを検出した漏水検出端末は、ある時刻まではモード２で動作し、その時刻までは漏水コマンドを送信しないために、中央制御装置を経由して共用部伝送路から漏水発生コマンドを受信し管理事務室等で警報を発生する共用部側の装置でも、一度漏水発生コマンドを受信し、警報音を鳴動した後は、ある時刻以降にならなければ、再度漏水が発生しても、警報音が鳴動しないこととなる。
【００２５】
請求項４記載の発明は、漏水発生時に漏水警報音を鳴動すると共に漏水発生コマンドを送信するモード５と、漏水発生時に漏水警報音の鳴動及び漏水発生コマンドの送信を行わないモード６とをそれぞれ有した複数の漏水検出端末と、この漏水検出端末のうち一の漏水検出端末から漏水発生コマンドを受信した場合、前記一の漏水検出端末に前記モード６で動作するように指令すると共に共用部伝送路に漏水発生コマンドを送信し、ある時刻に前記一の漏水検出端末に前記モード５で動作するように指令する中央制御装置とから構成している。
【００２６】
この結果、一度水漏れを検出した漏水検出端末は、ある時刻までモード６で動作するため、一度警報音を鳴動した後は、一定時間以上経過しなければ、再度漏水が発生しても、警報音が鳴動しないこととなる。
【００２７】
また、中央制御装置を経由して共用部伝送路から漏水発生コマンドを受信し管理事務室等で警報を発生する共用部側の装置でも、一度漏水発生コマンドを受信し、警報音を鳴動した後は、一定時間以上経過しなければ、再度漏水が発生しても、警報音が鳴動しないこととなる。
【００３０】
請求項５記載の発明は、請求項１記載の発明において、複数の漏水検出端末が、それぞれ、漏水を検出する漏水検出手段と、漏水発生コマンドを端末伝送路に送信すると共にこの端末伝送路からのコマンドを受信する送受信手段と、漏水発生時に漏水発生コマンドを前記端末伝送路に送信する場合をモード１とし、反対に送信しない場合はモード２と記憶する記憶手段と、前記漏水検出手段の出力を入力し、漏水発生時に前記記憶手段にモード１と記憶されている場合のみ端末伝送路に漏水発生コマンドを送信するよう前記送受信手段を制御する制御手段とを有して構成し、中央制御装置が、前記端末伝送路より漏水発生コマンドを受信すると共に前記端末伝送路を介して前記送受信手段に前記コマンドを送信する端末部送受信手段と、この端末部送受信手段により漏水発生コマンドを受信したと判断した時にタイマカウントを開始すると共に一定時間経過時に経過した旨の情報を出力する計時手段と、共用部伝送路に前記漏水発生コマンドを送信する共用部送信手段と、前記漏水検出端末のうち一の漏水検出端末の端末部受信手段により前記端末部伝送路を経由して受信した漏水発生コマンドを解読し、漏水発生コマンドを受信した旨を前記共用部伝送路に送信するよう前記共用部送信手段を制御すると共に、前記端末部送受信手段により前記一の漏水検出端末へモード２で動作するようモード変更指令コマンドを送信し、且つ前記計時手段により一定時間計時後に前記端末部送受信手段により前記一の漏水検出端末にモード１で動作するようにモード変更指令コマンドを送信するよう制御する演算制御手段とを有して構成し、前記漏水検出端末の制御手段が、前記演算制御手段より前記端末伝送路を経由してモード変更指令コマンドを受信した場合前記記憶手段の記憶変更を行うように構成されている。
【００３１】
この結果、一度水漏れを検出した漏水検出端末は、モード２で一定時間動作し、その間は漏水発生コマンドを送信しないため、中央制御装置を経由して共用部伝送路から漏水発生コマンドを受信し管理事務室等で警報を発生する共用部側の装置でも、一度漏水発生コマンドを受信し、警報音を鳴動した後は、一定時間以上経過しなければ、再度漏水が発生しても、警報音が鳴動しないこととなる。
【００３５】
請求項６記載の発明は、請求項２記載の発明において、複数の漏水検出端末が、それぞれ漏水を検出する漏水検出手段と、漏水発生コマンドを端末伝送路に送信すると共にこの端末伝送路からのコマンドを受信する送受信手段と、漏水検出時に警報音を鳴動する警報音鳴動手段と、漏水発生時に警報音を鳴動すると共に漏水発生コマンドを送信する場合はモード５とし、反対に警報音鳴動及び漏水発生コマンドの送信を行わない場合はモード６と記憶する記憶手段と、前記漏水検出手段の出力を入力し、漏水発生時に前記記憶手段にモード５と記憶されている場合のみ前記警報音鳴動手段により警報音を鳴動させ、前記端末伝送路に漏水発生コマンドを送信するよう前記送受信手段を制御する制御手段とを有して構成し、中央制御装置が、前記端末伝送路より漏水発生コマンドを受信すると共に前記端末伝送路を介して前記送受信手段に前記コマンドを送信する端末部送受信手段と、この端末部送受信手段により漏水発生コマンドを受信したと判断した時にタイマカウントを開始すると共に一定時間経過時に経過した旨の情報を出力する計時手段と、共用部伝送路に前記漏水発生コマンドを送信する共用部送信手段と、前記漏水検出端末のうち一の漏水検出端末の端末部受信手段により前記端末部伝送路を経由して受信した漏水発生コマンドを解読し、漏水発生コマンドを受信した旨を前記共用部伝送路に送信するよう前記共用部送信手段を制御すると共に、前記端末部送受信手段により前記一の漏水検出端末へモード６で動作するようモード変更指令コマンドを送信すると共に、前記計時手段により一定時間計時後に前記端末部送受信手段により前記一の漏水検出端末にモード５で動作するようにモード変更指令コマンドを送信するよう制御する演算制御手段とを有して構成して、前記漏水検出端末の制御手段が、前記端末伝送路からモード変更指令コマンドを受信した場合、前記記憶手段の記憶変更を行うように構成している。
【００３６】
この結果、一度水漏れを検出した漏水検出端末は、モード６で一定時間動作するため、一度警報音を鳴動した後は、一定時間以上経過しなければ、再度漏水が発生しても、警報音が鳴動しないこととなる。
【００３７】
また、中央制御装置を経由して共用部伝送路から漏水発生コマンドを受信し管理事務室等で警報を発生する共用部側の装置でも、一度漏水発生コマンドを受信し、警報音を鳴動した後は、一定時間以上経過しなければ、再度漏水が発生しても、警報音が鳴動しないこととなる。
【００４０】
請求項７記載の発明は、請求項３記載の発明において、複数の漏水検出端末が、それぞれ、漏水を検出する漏水検出手段と、漏水発生コマンドを端末伝送路に送信すると共にこの端末伝送路からのコマンドを受信する送受信手段と、漏水発生時に漏水発生コマンドを前記端末伝送路に送信する場合をモード１とし、反対に送信しない場合はモード２と記憶する記憶手段と、前記漏水検出手段の出力を入力し、漏水発生時に前記記憶手段にモード１と記憶されている場合のみ端末伝送路に漏水発生コマンドを送信するよう前記送受信手段を制御する制御手段とを有して構成し、中央制御装置が、前記端末伝送路より漏水発生コマンドを受信すると共に前記端末伝送路を介して前記送受信手段に前記コマンドを送信する端末部送受信手段と、現在時刻をカウントする時計手段と、共用部伝送路に前記漏水発生コマンドを送信する共用部送信手段と、前記漏水検出端末のうち一の漏水検出端末の送受信手段により前記端末部伝送路を経由して受信した漏水発生コマンドを解読し、漏水発生コマンドを受信した旨を前記共用部伝送路に送信するよう前記共用部送信手段を制御すると共に、前記端末部送受信手段により前記一の漏水検出端末から再度漏水発生コマンドを受信した際は、前記一の漏水検出端末にモード２で動作するようモード変更指令コマンドを送信すると共に、前記時計手段によりある時刻に前記一の漏水検出端末の端末部送受信手段によりその一の漏水検出端末にモード１で動作するようモード変更指令コマンドを前記端末伝送路を経由して送信するよう制御する演算制御手段とを有して構成して、前記制御手段が前記演算制御手段から前記端末伝送路を経由してモード変更指令コマンドを受信した場合は前記記憶手段の記憶変更を行うように構成している。
【００４１】
この結果、一度水漏れを検出した漏水検出端末は、ある時刻まではモード２で動作するため、その時刻までは漏水発生コマンドを送信しないため、中央制御装置を経由して共用部伝送路から漏水発生コマンドを受信し管理事務室等で警報を発生する共用部側の装置でも、一度漏水発生コマンドを受信し、警報音を鳴動した後は、ある時刻以降にならなければ、再度漏水が発生しても、警報音が鳴動しないこととなる。
【００４５】
請求項８記載の発明は、請求項４記載の発明において、複数の漏水検出端末が、それぞれ、漏水を検出する漏水検出手段と、漏水発生コマンドを端末伝送路に送信すると共にこの端末伝送路からのコマンドを受信する送受信手段と、漏水検出時に警報音を鳴動する警報音鳴動手段と、漏水発生時に警報音を鳴動すると共に漏水発生コマンドを送信する場合はモード５とし、反対に鳴動音の鳴動及び漏水発生コマンドの送信を行わない場合はモード６と記憶する記憶手段と、前記漏水検出手段の出力を入力し、漏水発生時に前記記憶手段にモード５と記憶されている場合のみ前記警報音鳴動手段により警報音を鳴動させる制御手段とを有して構成し、中央制御装置が、前記端末伝送路より漏水発生コマンドを受信すると共に前記端末伝送路を介して前記送受信手段に前記コマンドを送信する端末部送受信手段と、現在時刻をカウントする時計手段と、共用部伝送路に漏水発生コマンドを送信する共用部送信手段と、前記端末部送受信手段により前記端末部伝送路を経由して受信した前記漏水検出端末のうち一の漏水検出端末の漏水発生コマンドを解読し、この漏水発生コマンドを受信した旨を前記共用部伝送路に送信するよう前記共用部送信手段を制御し、且つ前記端末部送受信手段により前記一の漏水検出端末にモード６で動作するようモード変更指令コマンドを送信すると共に、前記時計手段によりある時刻になれば前記一の漏水検出端末にモード５で動作するようモード変更指令コマンドを前記端末伝送路を経由して送信するよう制御する演算制御手段とを有して構成して、前記制御手段が前記演算制御手段から前記端末伝送路を経由してモード変更指令コマンドを受信した場合は前記記憶手段の記憶変更を行うように構成している。
【００４６】
この結果、一度水漏れを検出した漏水検出端末は、ある時刻まではモード６で動作するため、一度警告音を鳴動した後は、一定時間以上経過しなければ、再度漏水が発生しても警告音を鳴動しないこととなる。
【００４７】
また、中央制御装置を経由して共用部伝送路から漏水発生コマンドを受信し管理事務室等で警報を発生する共用部側の装置でも、一度漏水発生コマンドを受信し、警報音を鳴動した後は、ある時刻以降にならなければ、再度漏水が発生しても、警報音が鳴動しないこととなる。
【００４８】
以下、本発明の実施の形態について、図を用いて説明する。
【００４９】
（実施の形態１）
図１は本発明による実施の形態１の構成図を示すもので、６、６は、集合住宅の各住戸等に設置された漏水検出端末であり、漏水を検出するための漏水検出手段１、端末伝送路２、この端末伝送路２へ漏水発生コマンドを送信する送信手段３、各漏水検出端末６、６を識別するために各々異なった自局番号を設定するための自局番号設定手段４、制御手段５から構成している。
【００５０】
また、１２は、各住戸に設置された前記漏水検出端末６、６から送信された情報を一元管理する中央制御装置であり、端末伝送路２のコマンドを受信する端末部受信手段７と、端末部受信手段７により漏水発生コマンドを受信した場合にタイマカウントを開始する計時手段８と、共用部側の管理事務室等に設置する警報音鳴動装置等へコマンドを伝送するための共用部伝送路９と、共用部伝送路９に漏水発生コマンドを送信する共用部送信手段１０と、演算制御手段１１とから構成している。
【００５１】
以上の構成において、以下その動作を説明する。
【００５２】
まず、漏水検出端末６の漏水検出手段１により漏水を検出すると、制御手段５は自局番号設定手段４から自局番号を読み取り、その自局番号を含んだ漏水発生コマンドを送信手段３で、端末伝送路２に送信するように制御する。すると、中央制御装置１２は、この漏水発生コマンドを端末部受信手段７で受信し、この結果、演算制御手段１１が共用部伝送路９へ漏水発生コマンドを送信すると共に、計時手段８が、一定時間のタイマカウントを開始する。この一連の動作により、共用部伝送路９に接続されている警報音鳴動装置が漏水の警報音を鳴動することになる。
【００５３】
次に、漏水検出端末６で、一度漏水が復旧し再度漏水が発生すると、同様に溝漏れ発生コマンドが端末伝送路２に送信される。これを中央制御装置１２が端末部受信手段７で同様に受信するが、計時手段８により、一回目の漏水発生から未だ一艇時間経過していないことを検出した演算制御手段１１は、共用部送信手段１０を制御しないため、漏水発生コマンドが共用部伝送路９に送信されないこととなる。
【００５４】
したがって、一定時間以上経過しなければ、再度漏水が発生しても、共用部伝送路９に接続された警報音鳴動装置は漏水の警報音を鳴動しない。
【００５５】
（実施の形態２）
図２は本発明による実施の形態２の構成図を示すもので、漏水検出端末６、６が、集合住宅の各住戸等に設置されており、漏水を検出するための漏水検出手段１、端末伝送路２、各漏水検出端末６、６を識別するために各々異なった自局番号を設定するための自局番号設定手段４、制御手段５から構成している点、及び、中央制御装置１２が、各住戸に設置された前記漏水検出端末６、６から送信された情報を一元管理しており、漏水発生コマンドを受信した場合にタイマカウントを開始する計時手段８と、共用部側の管理事務室等に設置する警報音鳴動装置等へコマンドを伝送するための共用部伝送路９と、共用部伝送路９に漏水発生コマンドを送信する共用部送信手段１０と、演算制御手段１１とから構成している点、実施の形態１と同様である。
【００５６】
そして、実施の形態１と異なる点は、前記漏水検出端末６、６が、前記送信手段３に代えて、端末伝送路２のコマンドの送受信を行う送受信手段１３を有する点、及び漏水発生時に漏水発生コマンドを送信する場合はモード１と記憶し、反対に送信しない場合にはモード２と記憶する記憶手段１４を有する点が異なる。
【００５７】
また、中央制御装置１２が、端末部受信手段７に代えて、端末伝送路２のコマンドの送受信を行う端末部送受信手段１７とした点が異なっている。
【００５８】
以上の構成において、以下その動作を説明する。
【００５９】
まず、漏水検出端末６の漏水検出手段１により漏水を検出すると、制御手段５はまず記憶手段１４内の動作モードを確認し、動作モードが１であれば、自局番号設定手段４から自局番号を読み取り、その自局番号を含んだ漏水発生コマンドを送受信手段１３で、端末伝送路２に送信するように制御する。すると、中央制御装置１２は、この漏水発生コマンドを端末部受信手段１７で受信し、この結果、演算制御手段１１が共用部伝送路９へ漏水発生コマンドを送信すると共に、端末部送受信手段１７によりその漏水検出端末６に、モード２で動作するようにモード変更指令コマンドを送信する。すると、漏水検出端末６は、このコマンドを送受信手段１３で受信し、自局向けのコマンドであれば、自局手段１４の記憶をモード２に変更する。
【００６０】
また、これらの動作により、共用部伝送路９に接続されている警報音鳴動装置が漏水の警報音を鳴動することとなる。
【００６１】
次に、漏水検出端末６で、もう一度漏水が発生すると、制御手段５は記憶手段１４の記憶がモード２であるために、漏水発生コマンドの送信を行わない。この結果、一定時間内に何回も共用部伝送路９に接続された警報音鳴動装置は、漏水の警報音を鳴動しない。
【００６２】
また、中央制御装置１２の計時手段８で、一定時間が経過したことを検出すると、演算制御手段１１は、端末部送受信手段１７で、その漏水検出端末６に、モード１で動作するようモード変更指令コマンドを送信する。すると、漏水検出端末６は、このコマンドを送受信手段１３で受信し、自局向けのコマンドであれば、記憶手段１４の記憶をモード１に変更する。このため、漏水が発生した場合には、再び共用部伝送路９に接続された警報音鳴動装置は、漏水の警報音を鳴動することとなる。
【００６３】
（実施の形態３）
図３は本発明による実施の形態３の構成図を示すもので、漏水検出端末６、６が、集合住宅の各住戸等に設置されており、漏水を検出するための漏水検出手段１、端末伝送路２、各漏水検出端末６、６を識別するために各々異なった自局番号を設定するための自局番号設定手段４、制御手段５から構成している点、及び、中央制御装置１２が、各住戸に設置された前記漏水検出端末６、６から送信された情報を一元管理しており、漏水発生コマンドを受信した場合にタイマカウントを開始する計時手段８と、共用部側の管理事務室等に設置する警報音鳴動装置等へコマンドを伝送するための共用部伝送路９と、共用部伝送路９に漏水発生コマンドを送信する共用部送信手段１０、演算制御手段１１とから構成している点、実施の形態１と同様である。
【００６４】
そして、実施の形態１と異なる点は、前記漏水検出端末６、６が、前記送信手段３に代えて、端末伝送路２のコマンドの送受信を行う送受信手段１３を有する点、漏水発生時に警報音を鳴動する場合は、モード３と記憶し、反対に鳴動しない場合にはモード４と記憶する記憶手段２０を有する点、及び漏水検出時に警報音を鳴動する警報音鳴動手段２１を有する点が異なる。
【００６５】
また、中央制御装置１２が、端末部受信手段７に代えて、端末伝送路２のコマンドの送受信を行う端末部送受信手段１７とした点が異なっている。
【００６６】
以上の構成において、以下その動作を説明する。
【００６７】
まず、漏水検出端末６の漏水検出手段１により漏水を検出すると、制御手段５はまず、自局番号設定手段４から自局番号を読み取り、その自局番号を含んだ漏水発生コマンドを送受信手段１３で、端末伝送路２に送信するように制御すると共に、制御装置５は、記憶手段２０内の動作モードを確認し、動作モードが３であれば、警報音鳴動手段２１を制御して、警報音を鳴動させる。
【００６８】
すると、中央制御装置１２は、この漏水発生コマンドを端末部受信手段１７で受信し、この結果、演算制御手段１１が共用部伝送路９へ漏水発生コマンドを送信すると共に、端末部送受信手段１７によりその漏水検出端末６に、モード４で動作するようにモード変更指令コマンドを送信する。すると、漏水検出端末６は、このコマンドを送受信手段１３で受信し、自局向けのコマンドであれば、自局手段２０の記憶をモード４に変更する。また、これらの動作により、共用部伝送路９に接続されている警報音鳴動装置が漏水の警報音を鳴動することになる。
【００６９】
次に、同一の漏水検出端末６で、もう一度漏水が発生すると、制御手段５は記憶手段２０の記憶がモード４であるために、制御手段５は、警報音鳴動手段２１を制御せず、警報音を鳴動しない。また、漏水発生コマンドが端末伝送路２へ送信され、これを中央制御装置１２が端末部送受信手段１７で同様に受信するが、計時手段８により、一回目の漏水発生から一定時間経過していないことを検出した演算制御手段１１は、共用部送信手段１０を制御しないため、漏水コマンドが共用部伝送路９に送信されないこととなる。
【００７０】
したがって、一定時間内に何回も共用部伝送路９に接続された警報音鳴動装置は、漏水の警報音を鳴動しない。
【００７１】
また、中央制御装置１２の計時手段８で、一定時間が経過したことを検出すると、演算制御手段１１は、端末部送受信手段１７で、その漏水検出端末６に、モード３で動作するようモード変更指令コマンドを送信する。すると、漏水検出端末６は、このコマンドを送受信手段１３で受信し、自局向けのコマンドであれば、記憶手段２０の記憶をモード３に変更する。このため、漏水が発生した場合には、再び警報音鳴動手段２１により、漏水の警報音を鳴動することとなる。
【００７２】
（実施の形態４）
図４は本発明による実施の形態４の構成図を示すもので、漏水検出端末６、６が、集合住宅の各住戸等に設置されており、漏水を検出するための漏水検出手段１、端末伝送路２、各漏水検出端末６、６を識別するために各々異なった自局番号を設定するための自局番号設定手段４、制御手段５から構成している点、及び、中央制御装置１２が、各住戸に設置された前記漏水検出端末６、６から送信された情報を一元管理しており、漏水発生コマンドを受信した場合にタイマカウントを開始する計時手段８と、共用部側の管理事務室等に設置する警報音鳴動装置等へコマンドを伝送するための共用部伝送路９と、共用部伝送路９に漏水発生コマンドを送信する共用部送信手段１０、演算制御手段１１とから構成している点、実施の形態１と同様である。
【００７３】
そして、実施の形態１と異なる点は、前記漏水検出端末６、６が、前記送信手段３に代えて、端末伝送路２のコマンドの送受信を行う送受信手段１３を有する点、漏水発生時に警報音を鳴動すると共に漏水発生コマンドを送信する場合は、モード５と記憶し、反対に漏水発生時に漏水警報音の鳴動及び漏水発生コマンドの送信を行わない場合にはモード６と記憶する記憶手段２６を有する点、及び漏水検出時に警報音を鳴動する警報音鳴動手段２１を有する点が異なる。
【００７４】
また、中央制御装置１２が、端末部受信手段７に代えて、端末伝送路２のコマンドの送受信を行う端末部送受信手段１７とした点が異なっている。
【００７５】
以上の構成において、以下その動作を説明する。
【００７６】
まず、漏水検出端末６の漏水検出手段１により漏水を検出すると、制御手段５はまず、記憶手段２６内の動作モードを確認し、動作モードが５であれば警報音鳴動手段２１を制御し警報音を鳴動させると共に、自局番号設定手段４から自局番号を読み取り、その自局番号を含んだ漏水発生コマンドを送受信手段１３で、端末伝送路２に送信するように制御する。
【００７７】
すると、中央制御装置１２は、この漏水発生コマンドを端末部受信手段１７で受信し、この結果、演算制御手段１１が共用部伝送路９へ漏水発生コマンドを送信すると共に、端末部送受信手段１７によりその漏水検出端末６に、モード６で動作するようにモード変更指令コマンドを送信する。すると、漏水検出端末６は、このコマンドを送受信手段１３で受信し、自局向けのコマンドであれば、自局手段２６の記憶をモード６に変更する。また、これらの動作により、共用部伝送路９に接続されている警報音鳴動装置が漏水の警報音を鳴動することになる。
【００７８】
次に、同一の漏水検出端末６で、もう一度漏水が発生すると、制御手段５は記憶手段２６の記憶がモード６であるために、制御手段５は、警報音鳴動手段２１を制御せず、警報音を鳴動しない。また、漏水発生コマンドも送信しない。
【００７９】
したがって、一定時間内に何回も共用部伝送路９に接続された警報音鳴動装置は、漏水の警報音を鳴動しない。
【００８０】
また、中央制御装置１２の計時手段８で、一定時間が経過したことを検出すると、演算制御手段１１は、端末部送受信手段１７で、その漏水検出端末６に、モード５で動作するようモード変更指令コマンドを送信する。すると、漏水検出端末６は、このコマンドを送受信手段１３で受信し、自局向けのコマンドであれば、記憶手段２６の記憶をモード３に変更する。このため、漏水が発生した場合には、再び警報音鳴動手段２１により、漏水の警報音を鳴動すると共に、漏水発生コマンドも送信することとなる。
【００８１】
（実施の形態５）
図５は本発明による実施の形態５の構成図を示すもので、漏水検出端末６、６が、集合住宅の各住戸等に設置されており、漏水を検出するための漏水検出手段１、端末伝送路２、各漏水検出端末６、６を識別するために各々異なった自局番号を設定するための自局番号設定手段４、制御手段５から構成している点、及び、中央制御装置１２が、各住戸に設置された前記漏水検出端末６、６から送信された情報を一元管理しており、共用部側の管理事務室等に設置する警報音鳴動装置等へコマンドを伝送するための共用部伝送路９と、共用部伝送路９に漏水発生コマンドを送信する共用部送信手段１０、演算制御手段１１とから構成している点、実施の形態１と同様である。
【００８２】
そして、実施の形態１と異なる点は、中央制御装置１２において、計時手段８に代えて、現在時刻をカウントする時計手段に代えた点が異なる。
【００８３】
以上の構成において、以下その動作を説明する。
【００８４】
まず、漏水検出端末６の漏水検出手段１により漏水を検出すると、制御手段５はまず、自局番号設定手段４から自局番号を読み取り、その自局番号を含んだ漏水発生コマンドを送信手段３で、端末伝送路２に送信する。すると、中央制御装置１２は、この漏水発生コマンドを端末部受信手段７で受信し、その結果、演算制御手段１１は共用部伝送路９へ漏水発生コマンドを送信する。この一連の動作により、共用部伝送路９に接続されている警報音鳴動装置が漏水の警報音を鳴動することとなる。
【００８５】
次に、同一の漏水検出端末６で、一度漏水が復旧し再度漏水が発生すると、同様に漏水発生コマンドが端末伝送路２に送信される。これを中央制御装置１２は、端末部受信手段７で同様に受信するが、時計手段３１により、ある時刻になっていないことを検出した演算制御手段１１は、共用部送信手段１０を制御しないため、漏水発生コマンドが共用部送信手段に送信されないこととなる。
【００８６】
したがって、ある時刻以降にならないければ、再度漏水が発生しても、共用部伝送路に接続された警報音鳴動装置は漏水の警報音を鳴動しない。
【００８７】
（実施の形態６）
図６は本発明による実施の形態６の構成図を示すもので、漏水検出端末６、６が、集合住宅の各住戸等に設置されており、漏水を検出するための漏水検出手段１、端末伝送路２、各漏水検出端末６、６を識別するために各々異なった自局番号を設定するための自局番号設定手段４、制御手段５から構成している点、及び、中央制御装置１２が、各住戸に設置された前記漏水検出端末６、６から送信された情報を一元管理しており、共用部側の管理事務室等に設置する警報音鳴動装置等へコマンドを伝送するための共用部伝送路９と、共用部伝送路９に漏水発生コマンドを送信する共用部送信手段１０、演算制御手段１１とから構成している点、実施の形態１と同様である。
【００８８】
そして、実施の形態１と異なる点は、前記漏水検出端末６、６が、前記送信手段３に代えて、端末伝送路２のコマンドの送受信を行う送受信手段１３を有する点、及び漏水発生時に漏水発生コマンドを送信する場合はモード１と記憶し、反対に送信しない場合にはモード２と記憶する記憶手段１４を有する点が異なる。
【００８９】
また、中央制御装置１２が、端末部受信手段７に代えて、端末伝送路２のコマンドの送受信を行う端末部送受信手段１７とした点及び計時手段８に代えて、現在時刻をカウントする時計手段３１とした点が異なっている。
【００９０】
以上の構成において、以下その動作を説明する。
【００９１】
まず、漏水検出端末６の漏水検出手段１により漏水を検出すると、制御手段５はまず、記憶手段１４内の動作モードを確認し、動作モードが１であれば、自局番号設定手段４から自局番号を読み取り、その自局番号を含んだ漏水発生コマンドを送受信手段１３で、端末伝送路２に送信するよう制御する。すると、中央制御装置１２は、この漏水発生コマンドを端末部受信手段１７で受信し、その結果、演算制御手段１１は共用部伝送路９へ漏水発生コマンドを送信すると共に、端末部送受信手段１７により、その漏水検出端末にモード２で動作するようモード変更指令コマンドを送信する。すると、漏水検出端末６は、このコマンドを送受信手段１３で受信し、自局向けのコマンドであれば、記憶手段１４の記憶をモード２に変更する。またこれらの動作により、共用部伝送路９に接続されている警報音鳴動装置が漏水の警報音を鳴動することとなる。
【００９２】
次に、同一の漏水検出端末６で、もう一度漏水が漏水が発生すると、制御手段５は、記憶手段１４の記憶がモード２であるため、漏水発生コマンドの送信を行わない。その結果、一定時間内に何回も共用部伝送路に接続された警報音鳴動装置は漏水の警報音を鳴動しない。
【００９３】
また、中央制御装置１２の時計手段３１である時刻になったことを検出すると、演算制御手段１１は、端末部送受信手段１７でその漏水検出端末６にモード１で動作するよう、モード変更指令コマンドを送信する。すると、漏水検出端末は、このコマンドを送受信手段１３で受信し、自局向けのコマンドであれば、記憶手段１４の記憶をモード１に変更するために、次に再度漏水が発生した場合、共用部伝送路に接続された警報音鳴動装置は漏水の警報音を鳴動することとなる。
【００９４】
（実施の形態７）
図７は本発明による実施の形態７の構成図を示すもので、漏水検出端末６、６が、集合住宅の各住戸等に設置されており、漏水を検出するための漏水検出手段１、端末伝送路２、各漏水検出端末６、６を識別するために各々異なった自局番号を設定するための自局番号設定手段４、制御手段５から構成している点、及び、中央制御装置１２が、各住戸に設置された前記漏水検出端末６、６から送信された情報を一元管理しており、共用部側の管理事務室等に設置する警報音鳴動装置等へコマンドを伝送するための共用部伝送路９と、共用部伝送路９に漏水発生コマンドを送信する共用部送信手段１０、演算制御手段１１とから構成している点、実施の形態１と同様である。
【００９５】
そして、実施の形態１と異なる点は、前記漏水検出端末６、６が、前記送信手段３に代えて、端末伝送路２のコマンドの送受信を行う送受信手段１３を有する点、漏水発生時に警報音を鳴動する場合は、モード３と記憶し、反対に鳴動しない場合にはモード４と記憶する記憶手段２０を有する点、及び漏水検出時に警報音を鳴動する警報音鳴動手段２１を有する点が異なる。
【００９６】
また、中央制御装置１２が、端末部受信手段７に代えて、端末伝送路２のコマンドの送受信を行う端末部送受信手段１７とした点、及び計時手段８に代えて、現在時刻をカウントする時計手段３１とした点が異なっている。
【００９７】
以上の構成において、以下その動作を説明する。
【００９８】
まず、漏水検出端末６の漏水検出手段１により漏水を検出すると、制御手段５はまず、自局番号設定手段４から自局番号を読み取り、その自局番号を含んだ漏水発生コマンドを送受信手段１３で、端末伝送路２に送信するように制御すると共に、制御装置５は、記憶手段２０内の動作モードを確認し、動作モードが３であれば、警報音鳴動手段２１を制御して、警報音を鳴動させる。
【００９９】
すると、中央制御装置１２は、この漏水発生コマンドを端末部受信手段１７で受信し、この結果、演算制御手段１１が共用部伝送路９へ漏水発生コマンドを送信すると共に、端末部送受信手段１７によりその漏水検出端末６に、モード４で動作するようにモード変更指令コマンドを送信する。すると、漏水検出端末６は、このコマンドを送受信手段１３で受信し、自局向けのコマンドであれば、自局手段２０の記憶をモード４に変更する。また、これらの動作により、共用部伝送路９に接続されている警報音鳴動装置が漏水の警報音を鳴動することになる。
【０１００】
次に、同一の漏水検出端末６で、もう一度漏水が発生すると、制御手段５は記憶手段２０の記憶がモード４であるために、制御手段５は、警報音鳴動手段２１を制御せず、警報音を鳴動しない。また、漏水発生コマンドが端末伝送路２へ送信され、これを中央制御装置１２が端末部送受信手段１７で同様に受信するが、時計手段３１により、ある時刻になっていないことを検出した演算制御手段１１は、共用部送信手段１０を制御しないため、漏水コマンドが共用部伝送路９に送信されないこととなる。
【０１０１】
したがって、１日に何回も共用部伝送路９に接続された警報音鳴動装置は、漏水の警報音を鳴動しない。
【０１０２】
また、中央制御装置１２の時計手段３１で、ある時刻になったことを検出すると、演算制御手段１１は、端末部送受信手段１７で、その漏水検出端末６に、モード３で動作するようモード変更指令コマンドを送信する。すると、漏水検出端末６は、このコマンドを送受信手段１３で受信し、自局向けのコマンドであれば、記憶手段２０の記憶をモード３に変更する。このため、漏水が発生した場合には、再び警報音鳴動手段２１により、漏水の警報音を鳴動することとなる。
【０１０３】
（実施の形態８）
図８は本発明による実施の形態８の構成図を示すもので、漏水検出端末６、６が、集合住宅の各住戸等に設置されており、漏水を検出するための漏水検出手段１、端末伝送路２、各漏水検出端末６、６を識別するために各々異なった自局番号を設定するための自局番号設定手段４、制御手段５から構成している点、及び、中央制御装置１２が、各住戸に設置された前記漏水検出端末６、６から送信された情報を一元管理しており、共用部側の管理事務室等に設置する警報音鳴動装置等へコマンドを伝送するための共用部伝送路９と、共用部伝送路９に漏水発生コマンドを送信する共用部送信手段１０、演算制御手段１１とから構成している点、実施の形態１と同様である。
【０１０４】
そして、実施の形態１と異なる点は、前記漏水検出端末６、６が、前記送信手段３に代えて、端末伝送路２のコマンドの送受信を行う送受信手段１３を有する点、漏水発生時に警報音を鳴動すると共に漏水発生コマンドを送信する場合は、モード５と記憶し、反対に漏水発生時に漏水警報音の鳴動及び漏水発生コマンドの送信を行わない場合にはモード６と記憶する記憶手段２６を有する点、及び漏水検出時に警報音を鳴動する警報音鳴動手段２１を有する点が異なる。
【０１０５】
また、中央制御装置１２が、端末部受信手段７に代えて、端末伝送路２のコマンドの送受信を行う端末部送受信手段１７とした点、及び計時手段８に代えて、現在時刻をカウントする時計手段３１とした点が異なっている。
【０１０６】
以上の構成において、以下その動作を説明する。
【０１０７】
まず、漏水検出端末６の漏水検出手段１により漏水を検出すると、制御手段５はまず、記憶手段２６内の動作モードを確認し、動作モードが５であれば警報音鳴動手段２１を制御し警報音を鳴動させると共に、自局番号設定手段４から自局番号を読み取り、その自局番号を含んだ漏水発生コマンドを送受信手段１３で、端末伝送路２に送信するように制御する。
【０１０８】
すると、中央制御装置１２は、この漏水発生コマンドを端末部受信手段１７で受信し、この結果、演算制御手段１１が共用部伝送路９へ漏水発生コマンドを送信すると共に、端末部送受信手段１７によりその漏水検出端末６に、モード６で動作するようにモード変更指令コマンドを送信する。すると、漏水検出端末６は、このコマンドを送受信手段１３で受信し、自局向けのコマンドであれば、自局手段２６の記憶をモード６に変更する。また、これらの動作により、共用部伝送路９に接続されている警報音鳴動装置が漏水の警報音を鳴動することになる。
【０１０９】
次に、同一の漏水検出端末６で、もう一度漏水が発生すると、制御手段５は記憶手段２６の記憶がモード６であるために、制御手段５は、警報音鳴動手段２１を制御せず、警報音を鳴動しない。また、漏水発生コマンドも送信しない。
【０１１０】
したがって、一日に何回も共用部伝送路９に接続された警報音鳴動装置は、漏水の警報音を鳴動しない。
【０１１１】
また、中央制御装置１２の時計手段３１で、ある時刻になったことを検出すると、演算制御手段１１は、端末部送受信手段１７で、その漏水検出端末６に、モード５で動作するようモード変更指令コマンドを送信する。すると、漏水検出端末６は、このコマンドを送受信手段１３で受信し、自局向けのコマンドであれば、記憶手段２６の記憶をモード３に変更する。このため、漏水が発生した場合には、再び警報音鳴動手段２１により、漏水の警報音を鳴動すると共に、漏水発生コマンドも送信することとなる。
【０１１２】
なお、以上の説明では、中央制御装置１２が共用部伝送路１０に漏水発生コマンドを送信することで、共用部伝送路９に接続されている警報音鳴動装置が漏水の警報音を鳴動するように説明したが、共用部送信手段を漏水警報発生手段に置き換え、中央制御装置自らが漏水発生コマンド受信時に警報音を鳴動するようにしても、本発明の趣旨には影響しない。
【０１１３】
また、漏水発生時のみの漏水発生コマンドの送信について記述したが、漏水復旧時にも、漏水復旧コマンドを送信するよう動作しても、本発明の趣旨には全く影響しない。
【０１１４】
更に、以上の説明では、漏水発生コマンドの受信により、共用部伝送路９を経由して、警告音を鳴動する警告音鳴動装置が、管理事務室にあるという想定で説明したが、漏水情報を電話回線を経由して遠隔地にあるセキュリティ管理センター等へ通報する場合を考えると、再三の通報及び電話代金の頻繁な加算を防止することができることとなる。
【０１１５】
【発明の効果】
以上のように、本発明は、一度漏水を検出し、警報音を鳴動した後は、一定時間経過後、或いはある時刻以降に再度漏水が発生した時のみ、警報音を鳴動し、短時間に何度も警報音を鳴動するのを防止することが可能となる。
【図面の簡単な説明】
【図１】本発明の実施の形態１による漏水検出装置の構成を示すブロック図
【図２】本発明の実施の形態２による漏水検出装置の構成を示すブロック図
【図３】本発明の実施の形態３による漏水検出装置の構成を示すブロック図
【図４】本発明の実施の形態４による漏水検出装置の構成を示すブロック図
【図５】本発明の実施の形態５による漏水検出装置の構成を示すブロック図
【図６】本発明の実施の形態６による漏水検出装置の構成を示すブロック図
【図７】本発明の実施の形態７による漏水検出装置の構成を示すブロック図
【図８】本発明の実施の形態８による漏水検出装置の構成を示すブロック図
【符号の説明】
１  漏水検出手段
２  端末伝送路
３  送信手段
４  自局番号設定手段
５  制御手段
６  漏水検出端末
７  端末部受信手段
８  計時手段
９  共用部伝送路
１０  共用部送信手段
１１  演算制御手段
１２  中央制御装置
１３  送受信装置
１４、２０、２６  記憶手段
１７  端末部送受信手段
２１  警報音鳴動手段
３１  時計手段
【図１】
0003874474.tif 000002
【図２】
0003874474.tif 000003
【図３】
0003874474.tif 000004
【図４】
0003874474.tif 000005
【図５】
0003874474.tif 000006
【図６】
0003874474.tif 000007
【図７】
0003874474.tif 000008
【図８】
0003874474.tif 000009